(57)【要約】【課題】主に、医療現場等で用いられる平パウチであっても、該平パウチを自立させることを可能とし、使用性の高い自立可能な平パウチを提供することを課題とし、さらには、内容物の充填性、操作性、注出性などを向上した、自立可能な平パウチを提供することを課題とする。【解決手段】上記課題を解決するため、本発明の請求項１記載の発明は、積層フィルムの周囲をシールしてなる平パウチであって、該平パウチの底部分に複数のコーナーからなるシール部分を形成することにより、前記パウチを置いた際に、前記複数のコーナーからなる底部分が略水平面を形成して、前記パウチを自立可能に構成したことを特徴とする、自立可能な平パウチである。【選択図】図１
2008265840.tif 000002
【特許請求の範囲】
【請求項１】
積層フィルムの周囲をシールしてなる平パウチであって、該平パウチの底部分に複数のコーナーからなるシール部分を形成することにより、前記パウチを置いた際に、前記複数のコーナーからなる底部分が略水平面を形成して、前記パウチを自立可能に構成したことを特徴とする、自立可能な平パウチ。
【請求項２】
前記パウチ形状が、略Ｌ字形状を有することにより、前記パウチの自立時の形状が略Ｖ字形状をなして、前記パウチを傾けた状態で自立可能に構成したことを特徴とする、請求項１記載の自立可能な平パウチ。
【請求項３】
前記パウチに、貫通孔からなる吊下げ孔を形成し、該吊下げ孔の対称位置に、別部材からなる注出口を一体に形成したことを特徴とする、請求項１乃至２記載の自立可能な平パウチ。
【請求項４】
前記パウチ形状が略Ｌ字形状を有することにより、前記パウチの吊下げ時の形状が略く字形状をなして、前記注出口が下方を向くことを特徴とする、請求項１乃至３記載の自立可能な平パウチ。
【請求項５】
前記パウチの開口部分に、開閉自在なジッパを一体に形成したことを特徴とする、請求項１乃至４記載の自立可能な平パウチ。
【請求項６】
前記パウチに、貫通孔からなる指掛け孔を形成したことを特徴とする、請求項１乃至５記載の自立可能な平パウチ。
【請求項７】
前記パウチの底部分が、略円弧形状を有することを特徴とする、請求項１乃至６記載の自立可能な平パウチ。
【発明の詳細な説明】
【技術分野】
【０００１】
本発明は、積層フィルムの周囲をシールしてなる平パウチであって、該平パウチの底部分に複数のコーナーからなるシール部分を形成することにより、前記パウチを置いた際に、前記複数のコーナーからなるシール部分が略水平面を形成して、前記パウチを傾けた状態で自立可能に構成した、自立可能な平パウチに関する。
【背景技術】
【０００２】
従来、図１４（ａ）（ｂ）に示すように、略四角形状を有するパウチ１０の底部分５が、略舟底形状からなる自立可能な底部５を有するパウチ１０（スタンドパウチ１０）が知られている。
【０００３】
このようなスタンドパウチ１０は、該パウチ１０の底部分５のフィルムを折り返した状態で形成することにより、パウチ１０の内容物の充填に伴い、前記折り返したフィルムが開放するとともに、パウチ１０の底部分５に舟底形状からなる自立面５を形成して、パウチ１０を直立した状態で自立させることが可能である。そして、パウチ１０の上部のフィルム１を切除することにより、パウチ１０の上部に開口１１を形成してパウチ１０の初期開封を行うものである。
【０００４】
しかしながら、このようなスタンドパウチ１０は、底部分５に、折り返したフィルムを形成する必要があり、スタンドパウチ１０の製造に手間がかかる、高コストを要するといった問題があった。このため、流動食や点滴液等のパウチ１０を取り扱う医療現場等においては、図１５（ａ）に示すように、比較的低コストの平パウチ１０を用いることが多い。
【０００５】
そして、医療現場等でこのような平パウチ１０を用いる場合には、図１５（ｂ）に示すように、平パウチ１０をスタンドのフックＦに吊下げた状態で、パウチ１０に形成された注出口９へと、図示しない供給チューブ等を連結して、患者等に流動食や飲料水を投与することが可能である。
【０００６】
特に、必要に応じて前記平パウチ１０の開口から、希釈液を注入して、流動食の濃度の調整等を行い、また、流動食の投与後には、飲料水などを注入して、流動食と同様に飲料水等を投与する場合もある。
【０００７】
しかしながら、このような注出口付き平パウチ１０では、パウチ１０の開口へと希釈液や飲料水を注入する際に、平パウチ１０を自立させることができず、平パウチ１０を手で持った状態で作業を行う必要があるため、希釈液等の注入作業が困難である。
【発明の開示】
【発明が解決しようとする課題】
【０００８】
本発明は、このような問題点を解決するためになされたものであり、その課題は、主に、医療現場等で用いられる平パウチであっても、該平パウチを自立させることを可能とした、使用性および実用性の高い自立可能な平パウチを提供することを課題とする。さらには、内容物の充填性、作業性、注出性などを向上した、自立可能な平パウチを提供することを課題とする。
【課題を解決するための手段】
【０００９】
上記課題を解決するため、本発明の請求項１記載の発明は、積層フィルムの周囲をシールしてなる平パウチであって、該平パウチの底部分に複数のコーナーからなるシール部分を形成することにより、前記パウチを置いた際に、前記複数のコーナーからなる底部分が略水平面を形成して、前記パウチを自立可能に構成したことを特徴とする、自立可能な平パウチである。
【００１０】
また、請求項２記載の発明は、前記パウチ形状が、略Ｌ字形状を有することにより、前記パウチの自立時の形状が略Ｖ字形状をなして、前記パウチを傾けた状態で自立可能に構成したことを特徴とする、自立可能な平パウチである。
【００１１】
また、請求項３記載の発明は、前記パウチに、貫通孔からなる吊下げ孔を形成し、該吊下げ孔の対称位置に、別部材からなる注出口を一体に形成したことを特徴とする、自立可能な平パウチである。
【００１２】
また、請求項４記載の発明は、前記パウチ形状が略Ｌ字形状を有することにより、前記パウチの吊下げ時の形状が略く字形状をなして、前記注出口が下方を向くことを特徴とする、自立可能な平パウチである。
【００１３】
また、請求項５記載の発明は、前記パウチの開口部分に、開閉自在なジッパを一体に形成したことを特徴とする、自立可能な平パウチである。
【００１４】
また、請求項６記載の発明は、前記パウチに、貫通孔からなる指掛け孔を形成したことを特徴とする、自立可能な平パウチである。
【００１５】
また、請求項７記載の発明は、前記パウチの底部分が、略円弧形状を有することを特徴とする、自立可能な平パウチである。
【発明の効果】
【００１６】
本発明の請求項１記載の発明は、積層フィルムの周囲をシールしてなる平パウチであって、該平パウチの底部分に複数のコーナーからなるシール部分を形成することにより、前記パウチを置いた際に、前記複数のコーナーからなる底部分が略水平面を形成して、前記パウチを自立可能に構成したことを特徴とするから、通常の平パウチであっても、従来のスタンドパウチ同様に自立させることが可能である。よって、平パウチを自立させた状態で、両手を用いて種々の作業を行うことが可能であり、使用性の高い自立可能な平パウチを提供することが可能である。
【００１７】
また、請求項２記載の発明は、前記パウチ形状が、略Ｌ字形状を有することにより、前記パウチの自立時の形状が略Ｖ字形状をなして、前記パウチを傾けた状態で自立可能に構成したことを特徴とするから、パウチの自立時に略Ｖ字形状をなすことにより、Ｌ字形状のパウチの各頂点が、それぞれ略上方を向くため、例えば、パウチの各頂点に開口と注出口とを形成することにより、開口と注出口とがそれぞれ上方を向くこととなる。よって、パウチを自立させた状態で、内容物を良好に充填することが可能である。
【００１８】
また、請求項３記載の発明は、前記パウチに、貫通孔からなる吊下げ孔を形成し、該吊下げ孔の対称位置に、別部材からなる注出口を一体に形成したことを特徴とするから、パウチを吊下げた状態で、下方に位置する注出口から良好に内容物を注出することが可能である。
【００１９】
また、請求項４記載の発明は、前記パウチ形状が略Ｌ字形状を有することにより、前記パウチの吊下げ時の形状が略く字形状をなして、前記注出口が下方を向くことを特徴とするから、パウチを吊下げた際に、注出口が直下方を向くため、注出口を用いて内容物を良好に注出することが可能であり、さらには、注出口へと各種連結器具等を容易に取り付けることが可能である。
【００２０】
また、請求項５記載の発明は、前記パウチの開口部分に、開閉自在なジッパを一体に形成したことを特徴とするから、内容物を前記パウチへと再充填することが可能であり、また、初期開封後のパウチを確実に再封状態に保持することができ、異物などの混入を防ぐことができる。
【００２１】
また、請求項６記載の発明は、前記パウチに、貫通孔からなる指掛け孔を形成したことを特徴とするから、パウチのフィルムを切除して使用する初期開封時において、パウチに指を掛けた状態で、力を加えてフィルムを切除することが可能である。また、前記指掛け孔に指先をかけてパウチを強固かつ安定して保持することが可能である。
【００２２】
また、請求項７記載の発明は、前記パウチの底部分が、略円弧形状を有することを特徴とするから、パウチ自立時において、パウチの底部分に広い水平面を形成して、さらに安定してパウチを自立させることが可能である。
【発明を実施するための最良の形態】
【００２３】
本発明に係る自立可能な平パウチ１０（パウチ１０）の一例としては、図１に示すように、積層フィルムの周囲をシールしてなる平パウチ１０であって、初期開封時に切除される上シール部分１の左右には、開封起点となるノッチ４が形成され、左右のノッチ４間には、易開封手段である切取線３が形成されている。
【００２４】
そして、前記ノッチ４を起点に、切取線３に沿って前記上シール部分１のフィルムを容易に切除することが可能であり、パウチ１０の上部に開口を形成してパウチ１０の初期開封を行なうものである。
【００２５】
また、前記切取線３の直下には、初期開封後の開口を再封自在とするジッパ７が形成されており、後述する、初期開封後のパウチ１０を再封することが可能である。そして、前記ジッパ７の左右に位置するシール面には、貫通孔からなる、吊下げ孔８および指掛け孔６がそれぞれ形成されており、後述する、前記貫通孔に指を掛けて、前記パウチ１０を強固かつ安定して保持することが可能である。
【００２６】
また、前記パウチ１０の右下のシール部分には、プラスチックの成形体からなる注出口９が一体に取り付けられており、該注出口９としては、医療用に用いられる注出口９や、各種飲料の注出に用いられる注出口９など、前記注出口９は、パウチ１０の使用用途に合わせて適宜選択可能であり、注出口９の形状や用途は限定されるものではない。
【００２７】
特に、本発明の自立可能な平パウチ１０は、該パウチ１０周囲のシール部分に、複数の角部分（コーナー部分Ｃ１〜Ｃ８）が形成されており、このため、パウチ１０の全体形状は、パウチ１０の底部分５が略右方へと突出した略Ｌ字形状をなしている。
【００２８】
これにより、後述する、前記平パウチ１０を置いた際に、平パウチ１０の底部分５が略水平面Ｈを形成して、該水平面Ｈにより平パウチ１０を自立させることが可能である。よって、平パウチ１０を自立させた状態で、希釈液等の注入作業を、両手を用いて安定かつスムースに行なうことが可能であり、使用性に優れた自立可能な平パウチ１０を提供することが可能である。
【００２９】
以下に、本発明の自立可能な平パウチ１０について詳しく説明する。
本発明の自立可能な平パウチ１０は、図２（ａ）（ｂ）に示すように、パウチ１０の周囲をシールしてなる平パウチ１０（パウチ１０）であって、パウチ１０の下半分が略右方へと突出した、略Ｌ字形状を有する変形平パウチ１０である。
【００３０】
そして、前記パウチ周囲のシール部分は、８つの複数コーナー部分（Ｃ１〜Ｃ８）を有しており、パウチ１０の上半分（Ｃ１〜Ｃ４）と、下半分（Ｃ５〜Ｃ８）とに、それぞれ４つのコーナー部分Ｃが形成されている。
【００３１】
特に、パウチ１０の底部分５に形成された、３つのコーナー部分（Ｃ５〜Ｃ７）は、コーナー部分Ｃ５とコーナー部分Ｃ７とを結ぶ仮想直線Ｔ（直線Ｔ）が、パウチ１０の縦方向のシール２に対して、角度θをもって傾斜している。このため、後述する、パウチ１０の自立時に、前記直線部分Ｔのフィルムが、略水平面Ｈを形成することが可能であり、前記水平面Ｈを土台として、パウチ１０を傾けた状態で自立させることが可能である。
【００３２】
そして、このようなパウチ１０の前記底部分５で、パウチ１０を自立させると、図３に示すように、前記コーナー部分Ｃ５と前記コーナー部分Ｃ７との間に位置する、下方へと突出したコーナー部分Ｃ６のフィルムが、床面Ｗに当接するとともに上方へと押圧されて、略楕円形状からなる水平面Ｈを形成することとなる。よって、パウチ１０の縦方向のシール２が前記水平面Ｈに対して角度θで傾斜した状態で、パウチ１０を安定して自立させることが可能である。
【００３３】
特に、Ｌ字形状のパウチ１０が、角度θの傾いた状態で自立することにより、自立時のパウチ形状が、略Ｖ字形状をなすため、パウチ１０の上シール部分１の開口が略斜め上方を向くとともに、注出口９が、角度θで持ち上がり、注出口９が床面Ｗに触れることなく、注出口９を常に浮いた状態とすることが可能である。
【００３４】
すなわち、自立時のパウチ１０は、図４（ａ）（ｂ）に示すように、パウチの底部分５に形成された、コーナー部分Ｃ５とコーナー部分Ｃ７との間のフィルムが、略水平面Ｈを形成することで、前記パウチ１０が、角度θの傾いた状態で自立することとなる。
これにより、パウチ１０の上シール部分１が略下方へと傾くとともに、前記注出口９が略上方へと傾き、注出口を床面Ｗから浮いた状態とすることが可能である。
【００３５】
よって、本発明のパウチ１０は、図５に示すように、パウチ１０を自立させた状態で、ノッチ４を起点に、両手を用いてパウチ１０の上シール部分１を良好に切除することが可能であり、さらには、パウチ１０のシール面に形成された指掛け孔６や吊下げ孔８へと、指を掛けた状態で、上シール部分１のフィルムを強固かつスムースに引き裂くことが可能である。よって、パウチ１０の初期開封を少ない力でもって安全に行うことが可能である。
【００３６】
通常、このような注出口９を有する平パウチ１０は、図示しない、使用者の体内に予め先端部が挿入された供給チューブの他端に取り付けられた連結具を、前記注出口９のノズル部分へと係合することにより、流動食が供給チューブ内に流出し、患者等に投与する構成である。
【００３７】
そして、流動食の濃度を調整する際、若しくは流動食を投与し終わった後、飲料水などの液体を投与する際には、パウチ１０の上シール部分１を切除してパウチを初期開封した後、ジッパ７を開封することにより、パウチ１０の開口１１を形成して、飲料水等の内容物を注入することが可能である。
【００３８】
このとき、本発明の自立可能な平パウチ１０は、図６に示すように、パウチ１０を自立させた状態で、ジッパ７を両手を用いて容易に開封することが可能であり、さらには、図７に示すように、片手の人差し指と親指とをそれぞれ吊下げ孔８と指掛け孔６とに挿入した状態で、開口１１をがま口状の開いた状態に維持しつつ、他方の手でやかん等を持ち、飲料水等の液体をスムースかつ衛生的に注入することが可能である。そして、飲料水等の注入後は、開閉封自在なジッパ７により、パウチ１０の開口１１を再び閉封して、パウチ１０を再封状態とし、異物などの混入を防ぐことが可能である。
【００３９】
特に、前記開口１１は、開口１１の左右に形成された貫通孔６，８に、それぞれ指先を掛けて内方へと力を加えることで、簡単にがま口状の開口１１を形成することが可能である。そして、前記貫通孔間６，８の距離は、片手の指先を挿入可能な距離を有することが望ましく、８ｃｍ〜１２ｃｍ程度の距離を有することが望ましい。また、前記ジッパ７は、前記貫通孔６，８の延長上に位置することが好ましく、片手でもって容易にジッパ部分７の開口保持が可能である。
【００４０】
このように、本発明の自立可能な平パウチ１０は、従来のスタンドパウチ同様に、パウチ１０を自立させることが可能であり、平パウチ１０を自立させた状態で、両手を用いて飲料水等の注入作業を安全かつスムースに行うことが可能である。
また、パウチの開口にジッパ７を形成することにより、外部から開口へと水等を注いだ後、再度パウチ１０を再封することができるため、ごみや塵などが、パウチ内へと侵入することを防ぐ効果がある。
【００４１】
また、飲料水や希釈液等の内容物を、前記パウチ１０へと注入した後、ジッパ７を用いて開口１１を再封し、図８に示すように、パウチ１０の左右に形成された、吊下げ孔８と指掛け孔６とにそれぞれ指先を掛けて、パウチ１０を安定して強固に保持することが可能であり、さらには、図９に示すように、図示しない供給チューブを、前記注出口９へと連結した状態のパウチ１０を、パウチ１０に形成された前記吊下げ孔８を用いて、フックＦなどの吊り下げ用治具に簡単に吊り下げることが可能である。
【００４２】
特に、平パウチ１０の形状が略Ｌ字形状を有しており、このため、吊下げ時のパウチ１０は、略く字形状をなしている。よって、パウチ１０の側面部分に取り付けられた注出口９が、直下方を向くとともに、内容物の液面が、注出口方９を向くため、内容物をきれいに使い切ることが可能であり、飲料水等の液体を衛生的かつスムースに投与することが可能である。
【００４３】
以上のように、本発明の自立可能な平パウチ１０は、該平パウチ１０の底部分５に複数のコーナーＣからなるシール部分を形成する簡単な構成により、前記パウチ１０を置いた際に、前記複数のコーナーＣからなる底部分５が略水平面Ｈを形成して、前記パウチ１０を自立させることが可能である。よって、通常の平パウチ１０であっても、従来のスタンドパウチ同様に自立させることが可能であり、平パウチ１０を自立させた状態で、両手を用いて種々の作業を行うことが可能な、使用性の高い自立可能な平パウチ１０を提供することが可能である。
【００４４】
また、前記パウチ形状が、略Ｌ字形状を有することにより、前記パウチ１０の自立時の形状が略Ｖ字形状をなして、Ｌ字形状のパウチ１０の各頂点が、それぞれ略上方を向くため、例えば、パウチ１０の各頂点に開口１１と注出口９とを形成することにより、開口１１と注出口９とがそれぞれ上方を向くことが可能である。よって、パウチ１０を自立させた状態で、内容物を充填することが可能であり、さらには、前記パウチ１０を傾けた状態で自立させても、注出口９が床面Ｗに触れることなく、常に清潔な状態で注出口９を用いることが可能である。
【００４５】
また、前記パウチ１０の、前記注出口９との対称位置に、前記パウチ１０を吊下げるための吊下げ孔８を形成することにより、パウチ１０を吊下げた際に、注出口９が下方を向くため、内容物を良好に注出することが可能である。
【００４６】
さらには、前記パウチ形状が略Ｌ字形状を有することにより、前記パウチ１０の吊下げ時において、前記パウチ１０の形状が略く字形状をなすため、パウチ１０を吊下げた際に、注出口９が下方を向き内容物を安定して注出することが可能である。
【００４７】
また、前記パウチ１０の開口部分１１に、開閉自在なジッパ７を形成することにより、内容物を前記パウチ１０へと再充填することが可能である。また、パウチの内容物の再封が可能であり、異物の侵入を防ぐことが可能である。
【００４８】
そして、パウチ１０に指を掛けた状態で把持することが可能な、指掛け孔６を形成することにより、パウチ１０の上シール部分１のフィルムを切除する初期開封時において、前記指掛け孔６に指を掛けた状態で、力を加えてフィルムの切除を行うことが可能である。さらには、前記指掛け孔６に指先をかけて、パウチ１０を強固かつ安定して保持することが可能である。
【００４９】
本発明の自立可能な平パウチ１０は、上記例に限らず、さらに複数コーナー部分Ｃを形成することにより、図１０に示すように、多角形状や円弧形状Ｗからなる底部分５を形成してもよく、パウチ自立時において、底部分５のフィルムが略水平面Ｈを形成して自立可能な構成であれば、パウチ１０の形状やコーナー部分Ｃの数は、特に限定されるものではない。
【００５０】
この場合、図１１に示すように、パウチ１０の底部分５の形状が、略円弧形状からなるシール部分Ｗであってもよく、パウチ１０の形状を略Ｌ字形状とすることにより、図１２に示すように、パウチ１０を自立させた際に、パウチ１０の形状が略Ｖ字形状をなして、広い自立面Ｈで安定して自立することが可能であり、さらには、パウチ１０を吊下げた際に、図１３に示すように、パウチ１０の形状が略く形状をなして、パウチ１０の注出口９が下方に向いた状態で、吊下げることが可能である。
【００５１】
本発明の自立可能なパウチ１０の製造方法としては、基本的にはパウチ形式に応じて、それに対応する製袋機を利用し、それに必要な加工装置を付加することにより容易に製造することができ、既設のヒートシール装置のシールヘッドの形状のみをそれぞれのシールパターンに合わせて変更することにより、複数のコーナー部分Ｃからなるシール部分を簡単に形成することが可能である。
【００５２】
また、本発明の自立可能な平パウチ１０に用いるフィルムとしては、主にプラスチックフィルムを主体とする積層フィルムが用いられ、例えば、液体を含む各種食品用パウチに用いられている従来公知の積層フィルムを用いることができ、特に限定されるものではない。積層フィルムの構成は、充填される流動食の種類や充填後の加圧加熱殺菌時に加えられる加熱条件などによって適宜選定することができる。
【００５３】
例えば、本発明の自立可能な平パウチ１０に好適に用いられる積層フィルムとして、下記のような構成の積層フィルムが挙げられる。
（１）ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
などが挙げられるが、これらに限定されるものではなく様々な組み合わせの積層フィルムを使用することができる。
【００５４】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００５５】
本発明の自立可能な平パウチは、上記例において、医療用の吊下げパウチに流動食を適用した例を示したが、これに限らず、各種医薬品や栄養剤のみならず粉体と液体との混合物、さらには、粉体と液体とを使用時においてパウチ内で混合して用いてもよく、パウチの使用用途は、特に限定されるものではない。
【図面の簡単な説明】
【００５６】
【図１】本発明の自立可能な平パウチの一例を示す図である。
【図２】本発明の自立可能な平パウチを示す正面図である。
【図３】本発明の自立可能な平パウチの自立時を示す説明図である。
【図４】本発明の自立可能な平パウチの自立時を示す説明図である。  （ａ）自立時の平パウチの正面を示す説明図である。  （ｂ）自立時の平パウチの側面を示す説明図である。
【図５】本発明の自立可能な平パウチの使用例を示す図である。
【図６】本発明の自立可能な平パウチの使用例を示す図である。
【図７】本発明の自立可能な平パウチの使用例を示す図である。
【図８】本発明の自立可能な平パウチの使用例を示す図である。
【図９】本発明の自立可能な平パウチの使用例を示す図である。
【図１０】本発明の自立可能な平パウチの別の例を示す図である。
【図１１】本発明の自立可能な平パウチの別の例を示す正面図である。
【図１２】本発明の自立可能な平パウチの使用例を示す図である。
【図１３】本発明の自立可能な平パウチの使用例を示す図である。
【図１４】（ａ）（ｂ）従来のスタンドパウチを示す図である。
【図１５】従来の注出口付き平パウチを示す図である。    （ａ）注出口付き平パウチを示す説明図である。    （ｂ）注出口付き平パウチを吊り下げた状態を示す説明図である。
【符号の説明】
【００５７】
１  上シール（上シール部分）
２  縦方向のシール
３  切取線
４  ノッチ
５  底部分
６  指掛け孔
７  ジッパ
８  吊下げ孔
９  注出口
１０  自立可能な平パウチ（パウチ）
１１  開口（開口部分）
Ｈ  水平面（自立面）
Ｔ  直線（仮想直線）
Ｗ  円弧形状のシール部分
【図１】
2008265840.tif 000003
【図２】
2008265840.tif 000004
【図３】
2008265840.tif 000005
【図４】
2008265840.tif 000006
【図５】
2008265840.tif 000007
【図６】
2008265840.tif 000008
【図７】
2008265840.tif 000009
【図８】
2008265840.tif 000010
【図９】
2008265840.tif 000011
【図１０】
2008265840.tif 000012
【図１１】
2008265840.tif 000013
【図１２】
2008265840.tif 000014
【図１３】
2008265840.tif 000015
【図１４】
2008265840.tif 000016
【図１５】
2008265840.tif 000017